(57)【特許請求の範囲】
【請求項１】
搬送手段により連続的に搬送されるカップびん、缶等の広口の容器の口部にキャップを供給するものにおいて、前記キャップの供給手段に連結されたキャップシュートから連続的に供給されるキャップを保持するとともに、搬送される前記容器の胴部に当接せしめられる開閉ガイドが一体に設けられ、前記容器の胴部を開閉ガイドに当接せしめられることにより開閉されるキャップ保持レバーと、前記容器を把持して前記キャップとの係合位置に移送する容器保持手段とを備えたことを特徴とする容器用キャップ供給装置。
【請求項２】
前記容器の搬送手段が、回転駆動機構により回転せしめられる転送スターホイールで構成された請求項１記載の容器用キャップ供給装置。
【請求項３】
前記容器保持手段が、回転板に取付けられた支点軸とともに回動可能にされた容器を把持する把持レバーと、該把持レバーを前記容器の胴部に当接せしめるばねとを備えた請求項１若しくは２記載の容器用キャップ供給装置。
【発明の詳細な説明】
【０００１】
【産業上の利用分野】
本発明は、カップびん、缶等の広口容器にキャップを供給し、これを被せる容器用キャップ供給装置に関する。
【０００２】
【従来の技術】
カップびんおよび缶等の広口容器にキャップを供給し、これを被せるキャップ供給装置としては、キャップを長手方向に沿って案内するシュートと、その先端部位置に一時停止して保持する機構とを備え、液詰機において液詰された広口の容器を転送スターホイールによって搬送する途中で、容器口部で、シュートの先端に保持されているキャップの鍔を引掛けて取出しするようにしたものが、従来提供されている。以下に、そのキャップ供給装置を図７を参照して説明する。
【０００３】
図７において、５１はキャップ６２を案内するキャップシュートであり、図示しないフレームに固定されている。５２ａ・５２ｂはキャップ保持レバーであり、これの閉じ幅を調整する調整ボルト５８を備え、前記キャップシュート５１の先端部に支点プレートの支点軸５３を介して回転自在に装着され、張力調整可能な引張ばね５４によってキャップ６２を挟持し、シュート５１の先端部で保持している。
【０００４】
５６は液詰めされた容器６１を搬送する転送スターホイールであり、液詰機の回転と同期してＺ矢方向に回転する。また５７は摺動板であり、液詰めされた容器６１の受取部から受渡部までの間、搬送円周上のフレーム（図示せず）上に固着されている。
【０００５】
次に、前記従来のキャップ供給装置の作用について説明する。図示しない前工程のキャップ補給装置からキャップシュート５１に連続供給されるキャップ６２は、該キャップシュート５１の先端部において、引張ばね５４の弾力により、キャップ保持レバー５２ａ・５２ｂの爪で定位置にて保持され停止する。
【０００６】
一方、前記キャップ保持レバー５２ａ・５２ｂは、調整ボルト５８によって先端の閉じ幅を設定し、キャップ６２の先端部が、転送スターホイール５６により、搬送される容器６１の中心が描く回転移動円周上の定位置で、引張ばね５４の張力によって保持されるように、キャップシュート５１の位置を含め事前に調整しておく。
【０００７】
次いで、前工程において液詰めされた容器６１は、外側をガイド（図示せず）に保持されながら摺動板５７上を転送スターホイール５６により搬送される途中において、前記シュート５１の先端部で一時保持されているキャップ６２の鍔を該容器６１の口部で引掛けて前進する。そして、キャップ６２の外周でキャップ保持レバー５２ａ・５２ｂを左右に押し開いて容器６１及びキャップ６２を該容器６１上にキャップ６２を被せた状態で取り出し、次工程に搬送受渡する工程を連続して行う。
【０００８】
【発明が解決しようとする課題】
前記のように従来のキャップ供給装置においては、キャップシュート５１先端において、キャップ保持レバー５２ａ・５２ｂで保持されているキャップ６２を、転送スターホイール５６で搬送される容器６１により、これの口部で強制的に引掛け、キャップ保持レバー５２ａ・５２ｂを左右に押し開いて取出す構造となっているため、キャップ保持レバー５２ａ・５２ｂの開閉タイミングが合わず、キャップの落下・変形・損傷が発生し、キャップ６２が容器６１に完全に被さらないという不具合が発生し易い。また、キャップ６２の取出し抵抗力により容器６２が傾いて振動することにより、容器６１内の液が溢れ出たり、さらには容器６２口部の変形を引き起こすことがある。
【０００９】
前記のような不具合は、装置の高速運転時においては、さらに発生率が高くなり、装置の稼働率の低下をきたす。
【００１０】
本発明の目的は、キャップと容器との係合位置を常時一定位置かつ一定タイミングに保持してキャップに抵抗を与えることなく確実に容器に係合可能とし、キャップ取出し時における傾き、振動等による液溢れの発生を防止し、高速運転にも適合された容器用キャップの供給装置を提供するにある。
【００１１】
【課題を解決するための手段】
本発明は、前記問題点を解決するもので、その特徴は、連続して流れるカップびん、缶等の広口容器の口部にキャップを供給するキャップ供給装置において、キャップシュートから連続して供給されるキャップを保持しているキャップ保持レバーの開閉を、転送スターホイールに保持され搬送される容器の胴部で開閉作動せしめるように構成し、キャップ外周に抵抗を与えることなくキャップを容器に供給せしめるとともに、容器によりキャップ保持レバーの開閉タイミングを取ることにより、キャップの落下・変形・損傷等の発生を阻止して被キャップ作業を行い得るキャップ供給装置にある。
【００１２】
また本発明の他の特徴とする点は、前記容器の搬送手段が、回転駆動機構により回転せしめられる転送スターホイールで構成された点にあり、さらに他の特徴とする点は、前記容器保持手段が、回転板に取付けられた支点軸とともに回動可能にされた容器を把持する把持レバーと、該把持レバーを前記容器の胴部に当接せしめるばねとを備えた点にある。
【００１３】
【作用】
本発明は前記のように構成されているので、前工程の詰機において液詰めされた容器は、転送スターホイールに受け渡され、カム、リンク機構、把持レバー、ばね等よりなる容器把持手段によって転送スターホイールのポケットに安定した状態で把持され回転搬送される。
【００１４】
前記液詰めされた容器に被せられるキャップは、前工程のキャップ供給機構より一定角度のキャップシュートによって案内下降し、該キャップシュートの先端でキャップ保持レバーの爪により保持されながら待機する。そして転送スターホイール（搬送手段）によって搬送される容器の胴によって、キャップ保持レバーを左右に開くことにより、キャップ保持レバーに保持されていたキャップは容器の口部に引張られるように落下し、容器口部に嵌合され、次の工程へ搬送される。
【００１５】
また、容器把持手段の開閉は、転送スターホイールの回転軸と同芯で固定されたカムの外周に接する容器把持レバーの他端（基端）のカムフォロワー移動により、リンク機構を介してなされる。
【００１６】
【実施例】
以下図面を参照して本発明の実施例を詳細に説明する。図１は本発明の実施例に係るキャップ供給装置の斜視図、図２は前記キャップ供給装置の側面図、図３は容器保持装置の平面図、図４は容器保持装置の断面図、図５は保持レバーの閉状態を示す平面図、図６は保持レバー開状態を示す平面図である。
【００１７】
図１において、１は前工程より供給されるキャップ６２を案内するキャップシュートであり、一定角度をもって図示しないフレームに固定される。２ａ・２ｂはキャップ保持レバーであり、その先端下部には開閉ガイド部３ａ・３ｂが位置調整されて固定されるとともに、前記キャップシュート１の支点プレート８に支点軸４を介して回転自在に装着されている。
【００１８】
５は引張ばね長さ調整装置（図示せず）により張力調整可能な引張ばねであり、キャップ保持レバー２ａ・２ｂ間に架設されるとともに、該引張ばね長さ調整装置の調整により、キャップ６２の保持力を調整可能とされている。６はキャップ保持レバー２ａ・２ｂの開閉幅を調整するアジャストボルトである。
【００１９】
図２において、７はキャップ抑えであり、容器６１に被せられたキャップ６２の浮き上がり防止するもので、備軸９を介して、前記キャップシュート１のヒンジ１ａに回転自在に装着されている。８１はキャップ抑えの高さ調整用アジャストボルトである。
【００２０】
図３において、２０は転送スターホイール１１に凹設されたポケット１１ａに容器６１を把持するための把持レバーで、支点軸１６を介して円周上に転送スターホイール１１のポケット１１ａと同数配設され後述する回転板１０に支持されている。該把持レバー２０は、容器６１を把持するレバー一側２０ａ、固定カム２５にカムフォロワー２２を介して接するレバー他側２０ｂとにより「く」の字状のリンク機構を構成する。
【００２１】
前記スターホイール１１は、図４に示すように、回転板１０の外周上側に複数個のスペーサ１２を介して固着され、該スターホイール１１の内側にリング１５がスペーサ１４を介して固着されている。
【００２２】
前記把持レバー２０の、レバー一側２０ａの容器６１を把持する部分には、該容器６１を堅固に保持し、かつ該容器６１に傷をつけないようにするために、把持パット２１が取り付けられ、また他方のレバー他側２０ｂには固定カム２５に当接するカムフォロワー２２が装着される。
【００２３】
また、前記支点軸１６は軸受１３・１３を介して回転板１０に回転自在に取付けられる。さらに、前記支点軸１６には前記把持レバー２０が圧入固定されるとともに、上部には前記テンションレバー１７が圧入固定される。従ってテンションレバー１７、支点軸１６、把持レバー２０は一体となって前記支点軸１６とともに回動する。
【００２４】
前記テンションレバー１７は、その先端下部に設けられたばね掛け１７ａとリング１５との間に架設された引張ばね２３で常に図３のＷ矢方向に引張られており、該引張ばね２３の張力は、固定カム２５にカムフォロワー２２が常に当接するように作動する。
【００２５】
次に前記のように構成されたキャップ供給装置の作用を説明する。先ず、キャップ保持レバー２ａ・２ｂの作用を図５、図６を参照して説明する。前記キャップ保持レバー２ａ・２ｂは、キャップシュート１の左右に設けられた支点軸４，４を支点として、左右均等に開かれる様に調整されている。そして、転送スターホイール１１によって送られる容器６１の胴部が開閉ガイド３ａ・３ｂと当接すると、開閉ガイド３ａ・３ｂと一体となったキャップ保持レバー２ａ・２ｂが支点軸４を支点として押し開かれる。保持レバー２ａ・２ｂが開かれると、キャップシュート１から連続的に供給されるキャップ６２の１つは容器６１の口部に該容器６１の動きに合わせ被せられる。
【００２６】
次に容器６１が開閉ガイド３ａ・３ｂを通過してしまうと、キャップ保持レバー２ａ・２ｂは、キャップシュート１の両側面と調整ボルト６とが当接する位置、即ちあらかじめ調整ボルト６によって調整された位置まで引張ばね５により引張られて閉じ、次に供給されるキャップ６２を保持する。
【００２７】
次に前記容器の把持レバー２０の作用を図３によって説明する。容器６１を転送スターホイール１１のポケット１１ａに把持せしめるための把持レバー２０は、レバー一側２０ａ及びこれに固定された把持パット２１が回転板１０に支持された支点軸１６を支点として回動することにより、連続的に搬送される容器６１を転送スターホイール１１のポケット１１ａのそれぞれの定位置に把持せしめる。
【００２８】
前記把持レバー２０を構成するレバー他側２０ｂの端部に装着されているカムフォロワー２２は、テンションレバー１７を介した引張ばね２３の張力によって、転送スターホイール１１およびこれと一体で動くリング１５が回転しても、常に固定カム２５の外周に接して運動する。そして、転送スターホイール１１及びリング１５の回転により、カムフォロワー２２は固定カム２５の形状に合わせて動き、これにより、カムフォロワー２２及びレバー他側２０ｂを介して、把持レバー２０及びこれに固着された把持パット２１が、容器６１を転送スターホイール１１のポケット１１ａに把持あるいは解き放す動作を行う。
【００２９】
次にキャップ取出装置全体の作用を説明する。キャップ６２は前工程よりキャップシュート１によってガイドされながら下降して、先端のキャップ保持レバー２ａ・２ｂの爪で挟持され一旦待機する。容器６１は前工程で液詰されて転送スターホイール１１に受け渡され、把持レバー２０の前記のような作動により把持パット２１で前記転送スターホイール１１のポケット１１ａに安定された状態で把持され搬送される。
【００３０】
前記搬送途中において前記キャップシュート１先端でキャップ保持レバー２ａ・２ｂに挟持されて待機中のキャップ６２との係合位置で、前記キャップ保持レバー２ａ・２ｂは、開閉ガイド３ａ・３ｂと容器６１の胴とが接することによって開かれる。と同時にキャップ６２の鍔は前記容器６１の口部で引掛けられながら容器６１口部へ落下し、容器６１にキャップ６２が被せられる。
【００３１】
しかる後容器６１は、アジャストボルト８で高さが調整されたキャップ抑え７により、容器６１口部に被せられたキャップ６２が抑えられながら前進する。その後容器６１が通過すると、引張ばね５の弾力により保持レバー２ａ・２ｂは閉ざされ、次のキャップ６２を保持する。
【００３２】
以上の作動を繰り返すことにより、キャップ６２を被せられた容器６１は、連続的に次の工程へ受け渡される。前記実施例では容器６１を、転送スターホイール１１による搬送中にキャップ供給を行っているが、容器６１のスクリューによる搬送時、コンベアーによる搬送時等のあらゆる搬送手段による搬送時においても、本発明に係るキャップ供給装置によるキャップの容器への覆蓋は可能である。
【００３３】
【発明の効果】
本発明は、以上のように構成されているので、容器取出しの係合位置を一定位置に保持することが可能となり、容器の取出し時は容器保持レバーの開閉を容器の胴によって作動させることにより、キャップに抵抗を与えることなく、従ってキャップの変形・損傷がなく、さらに容器で係合タイミングを取ることでキャップの落下ミスもなしにキャップを容器に被せることができる。
【００３４】
さらに容器保持手段を設けることにより、容器はスターホイールポケットの中心に安定された状態で把持されるため、キャップ取出し時における容器の傾き・振動による液溢れもなく、高速運転対応が可能となる。
【図面の簡単な説明】
【図１】本発明の実施例に係るキャップ供給装置の斜視図。
【図２】本発明の実施例に係るキャップ供給装置の側面図。
【図３】本発明の実施例に係る容器保持装置を示す平面図。
【図４】本発明の実施例に係る容器保持装置で図３に示すIV−IV断面図。
【図５】本発明の実施例に係る容器保持レバー閉状態を示す平面図。
【図６】本発明の実施例に係る容器保持レバー開状態を示す平面図。
【図７】従来のキャップ供給装置を示す斜視図。
【符号の説明】
１…キャップシュート、２ａ・２ｂ…キャップ保持レバー、３ａ・３ｂ…開閉ガイド、５…引張ばね、１０…回転板、１１…スターホイール、１５…リング、１６…支点軸、１７…テンションレバー、２０…把持レバー、２１…把持パット、２２…カムフォロワー、２３…引張ばね、２５…固定カム、６１…容器、６２…キャップ。
【図１】
0003600305.tif 000002
【図２】
0003600305.tif 000003
【図３】
0003600305.tif 000004
【図４】
0003600305.tif 000005
【図５】
0003600305.tif 000006
【図６】
0003600305.tif 000007
【図７】
0003600305.tif 000008